(57)【要約】【課題】商用電源のコンセントのある場所に、光量の大きな照明を簡便に追加することのできる照明装置を提供することを目的とする。【解決手段】照明装置１は、複数の発光ダイオード４が二次元配置された光源部４ａを有しその光を射出面７側から射出する照明部３と、発光ダイオード４を駆動する駆動部６とを備える筐体２には、商用電源のコンセントに差し込み可能で駆動部６に電気接続された給電用の栓刃５が、筐体２に対して可動自在に設けられているものである。光源部４ａの光照射方向に光拡散部材や光学レンズなどの光学部材を設けることができる。【選択図】図１
2011049100.tif 000002
【特許請求の範囲】
【請求項１】
複数の発光ダイオードが一次元または二次元配置された光源部を有しその光を射出面側から射出する照明部と、該発光ダイオードを駆動する駆動部とを備える筐体には、商用電源のコンセントに差し込み可能で該駆動部に電気接続された給電用の栓刃が、該筐体に対して可動自在にまたは固定されて設けられていることを特徴とする照明装置。
【請求項２】
前記照明部は、前記光源部の光照射方向に光学部材を備えていることを特徴とする請求項１に記載の照明装置。
【請求項３】
前記光学部材は、光を拡散させる光拡散部材、光学式レンズ、カラーフィルター、及び透光性画像表示部材のいずれかひとつまたはこれらの組合せからなることを特徴とする請求項２に記載の照明装置。
【請求項４】
前記光学式レンズが前記発光ダイオードとの距離を可変可能な移動機構で支持されていることを特徴とする請求項３に記載の照明装置。
【請求項５】
前記光学部材は、前記照明部に着脱可能に設けられていることを特徴とする請求項２または３に記載の照明装置。
【請求項６】
前記照明部が、一次元または二次元配置された前記発光ダイオードの光を導光板の側面から入射し該導光板の一面または両面より射出する前記光源部を有していることを特徴とする請求項1から５のいずれか１項に記載の照明装置。
【請求項７】
前記複数の発光ダイオードは、発光色の異なる発光ダイオードの組み合わせで構成されており、同色の該発光ダイオードの組ごとに前記駆動部から供給する電流を調整する色調調整回路が設けられていることを特徴とする請求項１から６のいずれか１項に記載の照明装置。
【請求項８】
前記駆動部は、前記栓刃から供給される商用電源で充電されて、該商用電源からの給電が無いとき、および／または、電源スイッチをオフしたときに、前記発光ダイオードに電力供給するための二次電池またはコンデンサを有していることを特徴とする請求項１から６のいずれか１項に記載の照明装置。
【請求項９】
前記駆動部は、前記発光ダイオードを間欠的に駆動する点滅回路を有していることを特徴とする請求項１から６のいずれか１項に記載の照明装置。
【請求項１０】
前記栓刃は、首振り機構を介して前記筐体に対して可動自在に設けられていることを特徴とする請求項１から６のいずれか１項に記載の照明装置。
【発明の詳細な説明】
【技術分野】
【０００１】
本発明は、発光ダイオードを用いた照明装置に関するものである。
【背景技術】
【０００２】
商用電源のコンセントに差し込む栓刃と一体的な、発光ダイオードを用いたナイトライトが従来から知られており、例えば、特許文献１に開示されている。このようなナイトライトは、足元灯や常夜灯とも呼ばれ、夜間に足元を視認できる程度の明るさで照らすものである。
【０００３】
室内の照明のない場所に、一時的または簡易的に照明を追加したい場合がある。このような場合、ナイトライトは、明るさが小さいため、光量の大きな照明として用いることはできないという問題がある。
【０００４】
また、持ち運びが自由であっても、その設置する場所が多様に異なる場合、設置箇所に応じて設置の立体的な不具合を解消して設置できる自由度のある照明装置はなく、照明光の方向、明るさ、色彩等を簡単に調節できない場合がある。近時、かかる調節機能を持ち、簡単な操作で使い勝手のよい、ポータブルであって省スペースの発光ダイオード照明装置はないため、このような装置がユーザーから強く望まれている。
【先行技術文献】
【特許文献】
【０００５】
【特許文献１】特開２００２−３７３５０６号公報
【発明の概要】
【発明が解決しようとする課題】
【０００６】
本発明は前記の課題を解決するためになされたもので、商用電源のコンセントのある多様な場所にその場所の空間に応じて立体的な不具合を解消して設置できるよう、自由度の高い可動性を得る調節機構を有し、省スペースであって大きさの割りに光量が大きく、しかも照明光の方向、明るさ、色彩等を簡単な操作で調節することができる照明装置を提供することを目的とする。
【課題を解決するための手段】
【０００７】
前記の目的を達成するためになされた特許請求の範囲の請求項１に記載の照明装置は、複数の発光ダイオードが一次元または二次元配置された光源部を有しその光を射出面側から射出する照明部と、該発光ダイオードを駆動する駆動部とを備える筐体には、商用電源のコンセントに差し込み可能で該駆動部に電気接続された給電用の栓刃が、該筐体に対して可動自在にまたは固定されて設けられていることを特徴とする。
【０００８】
請求項２に記載の照明装置は、請求項１に記載されたもので、前記照明部は、前記光源部の光照射方向に光学部材を備えていることを特徴とする。
【０００９】
請求項３に記載の照明装置は、請求項２に記載されたもので、前記光学部材は、光を拡散させる光拡散部材、光学式レンズ、カラーフィルター、及び透光性画像表示部材のいずれかひとつまたはこれらの組合せからなることを特徴とする。
【００１０】
請求項４に記載の照明装置は、請求項３に記載されたもので、前記光学式レンズが前記発光ダイオードとの距離を可変可能な移動機構で支持されていることを特徴とする。
【００１１】
請求項５に記載の照明装置は、請求項２または３に記載されたもので、前記光学部材は、前記照明部に着脱可能に設けられていることを特徴とする。
【００１２】
請求項６に記載の照明装置は、請求項1から５のいずれか１項に記載されたもので、前記照明部が、一次元または二次元配置された前記発光ダイオードの光を導光板の側面から入射し該導光板の一面または両面より射出する前記光源部を有していることを特徴とする。
【００１３】
請求項７に記載の照明装置は、請求項１から６のいずれか１項に記載されたもので、前記複数の発光ダイオードは、発光色の異なる発光ダイオードの組み合わせで構成されており、同色の該発光ダイオードの組ごとに前記駆動部から供給する電流を調整する色調調整回路が設けられていることを特徴とする。
【００１４】
請求項８に記載の照明装置は、請求項１から６のいずれか１項に記載されたもので、前記駆動部は、前記栓刃から供給される商用電源で充電されて、該商用電源からの給電が無いとき、および／または、電源スイッチをオフしたときに、前記発光ダイオードに電力供給するための二次電池またはコンデンサを有していることを特徴とする。
【００１５】
請求項９に記載の照明装置は、請求項１から６のいずれか１項に記載されたもので、前記駆動部は、前記発光ダイオードを間欠的に駆動する点滅回路を有していることを特徴とする。
【００１６】
請求項１０に記載の照明装置は、請求項１から６のいずれか１項に記載されたもので、前記栓刃は、首振り機構を介して前記筐体に対して可動自在に設けられていることを特徴とする。
【発明の効果】
【００１７】
本発明の照明装置によれば、複数の発光ダイオードを一次元または二次元配列した光源部の光を射出面側から射出させる照明部とすることにより、光量を大きく獲得することができ、明るい照明装置として用いることができる。また、発光ダイオードは小型であるので、厚さが好ましくは２ｃｍ以下、更に好ましくは１．２ｃｍ以下の薄型の照明装置とすることができ、簡便に搬送することができる。特に光源部として中央部の導光板の周辺に発光ダイオードを一次元または二次元配列した用いたエッジライト型の照明装置は、照明部の厚さを好ましくは１ｃｍ以下、更に好ましくは５ｍｍ以下の薄型にすることができる。
【００１８】
照明部の平面の大きさがＡ５位のノートサイズや特に名刺サイズの大きさであるとカバンやポケットに入れることができるポータブルサイズとして、必要な場所に持ち運びができ有用である。この照明部と、発光ダイオードに電力供給する駆動部とが筐体に収容され、商用電源のコンセントに差し込み可能な給電用の栓刃が筐体に可動自在に又は固定されて設けられていることにより、コンセントに差し込むだけで、明るい照明を簡便に追加することができる。
【００１９】
また、本発明の照明装置によれば、光源部の光照射方向に必要に応じて所望の光学部材が設けられることにより、その機能を利用することができる。光学部材が光を拡散させる光拡散部材である場合、柔らかな照明光にできると共に光の照射範囲を広くすることができ、拡散グレードの異なる部材を複数用いたり、光を拡散させる範囲の異なる光拡散部材を用いたりすることにより、光の質を変化させることができる。光拡散部材には、着色染料や顔料を混合することにより、カラーフィルターの機能を持たせることができる。光学部材が光学式レンズである場合は、違うレンズに交換したり、発光ダイオードとの距離を可変可能な移動機構で支持したりすることにより、焦点距離を変えて明るいスポットとしたり、指向角を変えることにより照明範囲を調節することができる。また、レンズを着脱可能にすることにより、レンズ交換により、更に広い範囲で焦点距離や指向角を変えることができる。
【００２０】
また、光学部材が透光性基材に画像表示された透光性画像表示部材である場合、例えば、透光性基材に案内文字や矢印などの記号画像や、写真画像、ピクトグラム（絵文字）画像を表示することにより案内表示板として用いたり、広告、サイン等とすることができる。また、背面照明によって絵画を表示する額縁などに用いたりすることもできる。表示を明るくすることができるので、昼間でも視認性に優れた案内表示板等とすることができる。更に、光拡散部材と組み合わせた画像表示部材とすることもできる。この場合、光拡散部材とともに画像表示を簡便に交換することができる。
【００２１】
また、本発明の照明装置によれば、光学部材が照明部に着脱可能に設けられていることにより、異なる種類や複数のグレードの光学部材を揃えることにより機能の範囲を広げ、また所望の機能に交換でき、また組み合わせることができる。
【００２２】
また、本発明の照明装置によれば、複数の発光ダイオードが、発光色の異なる発光ダイオードの組み合わせで構成されており、同色の発光ダイオードの組ごとに駆動部から供給する電流を調整する色調調整回路が設けられていることにより、照明光の色や明るさを、任意に調整することができる。
【００２３】
また、本発明の照明装置によれば、駆動部は、二次電池またはコンデンサを有していることにより、停電の際や、ポータブルでもあるので商用電源の無い場所に持ち運んだ際にも照明として用いることができる。
【００２４】
また、本発明の照明装置によれば、駆動部は、発光ダイオードを間欠的に駆動する点滅回路を有していることにより、注意を喚起させるための警告灯としても用いることができる。
【００２５】
さらに、本発明の照明装置によれば、栓刃が引き出し機構や蝶番機構もしくは首振り機構を介して筐体に可動自在に設けられていることにより、照明を行う方向を任意に可変することができる。さらに栓刃を筐体に収納可能に可動自在とした場合には、照明装置を使用しないときに、栓刃が筐体から突出しないため、栓刃が邪魔にならず、照明装置全体も小さくなるので携行性に優れたものとすることができる。
【図面の簡単な説明】
【００２６】
【図１】本発明を適用する照明装置の一例を示す斜視図（ａ）およびその栓刃部分を示す一部拡大断面図（ｂ）である。
【図２】本発明を適用する照明装置の別な例を示す断面図である。
【図３】本発明を適用する照明装置の別な例を示す構成図である。
【図４】本発明を適用する照明装置の別な例を示す斜視図（ａ），（ｂ）である。
【図５】本発明を適用する照明装置の別な例の使用状態を示す平面図である。
【図６】本発明を適用する照明装置の別な例を示す斜視図（ａ）および不使用時の栓刃部分斜視図（ｂ）である。
【図７】本発明を適用する照明装置の別な例を示す斜視図（ａ）およびその使用状態を示す側面図（ｂ）である。
【図８】本発明を適用する照明装置の別な例を示す斜視図（ａ）およびその使用状態を示す斜視図（ｂ）である。
【図９】本発明を適用する照明装置の別な例を示す正面図（ａ）およびその一部拡大断面図（ｂ）である。
【図１０】本発明を適用する照明装置の別な例を示す一部破断正面図である。
【図１１】本発明を適用する光源部の別な例を示す一部拡大斜視図である。
【図１２】本発明を適用する光源部の別な例を示す一部拡大斜視図である。
【発明を実施するための形態】
【００２７】
以下に、本発明の実施の好ましい形態を詳細に説明するが、本発明の範囲はこれらの形態に限定されるものではない。
【００２８】
本発明の照明装置の一態様を、図１を参照しながら説明する。この照明装置１は、複数の発光ダイオード４が二次元配置された光源部４ａが表出しており、この光源部４ａの光を射出面７側（筐体２の正面側）から射出する照明部３と、発光ダイオード４を駆動する駆動部６とを備える筐体２には、商用電源のコンセント（非図示）に差し込み可能で駆動部６に電気接続された給電用の栓刃５が、栓刃５の台座５ｂを介して蝶番機構により筐体２に対して可動自在に設けられている。
【００２９】
筐体２は、一例としてプラスチックなどの合成樹脂によって、略箱体状に成型されている。
【００３０】
同図（ａ）に示されるように、発光ダイオード４が、筐体２の一平面に、一例として縦５列、横７行に二次元配置されて設けられることで、照明部３が二次元（平面状）の光源部４ａにより構成されている。なお、二次元配置とは、発光ダイオード４が面内に配置されていることを示す概念であり、縦横に整然と配列されて配置されることだけでなく、同心円状に配置されることや、渦巻き型に配置されること、ランダムに配置されることなども含む概念である。発光ダイオード４は、一次元配置してもよい。
発光ダイオードの一次元配置とは、発光ダイオードが列を作って配置されていることで、直線だけでなく、サークルや弓状に曲線状も含まれる。また、発光ダイオード４が一次元または二次元に配置される面は、単純な平面に限られず、ドーム状、凸面或いは凹面状、球面などの曲面も含まれる。
【００３１】
同図では、発光ダイオード４が筐体２の正面（観察面側）側に突出するように配置された例が示されているが、筐体２の正面側に発光ダイオード４とほぼ同径の穴を複数形成し、この穴から発光ダイオード４の頂部を一部突き出したり、面一にしたり、引っ込ませたりした位置に配置してもよい。また、発光ダイオード４を筐体２の樹脂と一体的に成型してもよい。さらに、同図に示されるように、筐体２の正面側の射出面７に、例えば光反射板８を付して、反射板の機能を持たせることができる。必要であれば、発光ダイオード４を保護する透明な保護板を、照明部３全体を覆う形で配してもよい。
【００３２】
発光ダイオード４の発光色は、所望する照明の色に応じて適宜選択する。白色の照明を所望する際には、白色発光ダイオードを用いる。色付きの照明を所望する際には、所望する色の発光ダイオードを用いる。また、近年、白色発光ダイオードは高輝度のものが多く市販されているため、高輝度白色発光ダイオードに色付きのキャップを被せることで発光色を適宜変更することもできる。また、複数の発光ダイオードのうち異った波長の発光をする発光ダイオードを配置して光をミックスしてもよい。
【００３３】
駆動部６は、栓刃５から供給される商用交流１００Ｖを整流平滑して、所定の電流を発光ダイオード４に供給する電気回路で構成されている。この電気回路は、周知の回路を用いることができる。
【００３４】
栓刃５は、筐体２の背面（図1（ａ）の非観察面側）の上部に、台座５ｂを介して筐体２に対して可動自在に設けられている。つまり、筐体２と一体的に設けられた栓刃５が、筐体２に対して角度を可変調節できるように設けられている。
【００３５】
この栓刃５は、同図（ａ）に二点鎖線矢印で示されるように、その台座５ｂを軸として９０度回転させて、筐体２の背面内側に収容される構成としてもよい。図1（ｂ）はその部分断面図であり、栓刃５は、栓刃５を支える台座５ｂで固定され、台座５ｂと共に筐体に設けられた凹部に横倒しになるようにして収容される。この構成としたときには、照明装置１の保管や搬送の際に栓刃５が邪魔にならずに好ましい。また、栓刃５を収容しない構成としたときには、ポータブル性が抑制されるが、筐体２に栓刃の収容スペースを設けない分一層薄型のものにすることができ照明部３が壁等にぴったりと沿う形となり、立体的な障害がより小さくなる利点が向上する。
【００３６】
この照明装置１は、次のように使用されて動作する。
【００３７】
まず、栓刃５を起立させて、同図に示されるように筐体２から突出させる。この栓刃５をコンセントに差し込むと、栓刃５から駆動部６に給電される。これにより駆動部６は、直ちに発光ダイオード４を駆動して、発光ダイオード４が発光し、照明部３から光が射出される。
【００３８】
照明部３は、発光ダイオード４が二次元配置されているので二次元（平面状の）光源部４ａとなっているため、光量が大きく、明るい照明となる。
【００３９】
次に、本発明の照明装置の別の一態様を、図２を参照しながら説明する。なお、以下において、すでに説明した構成と同様の構成については同じ符号を付して説明を省略する。
【００４０】
同図に示される照明装置１ａは、その照明部３ａが、発光ダイオード４（光源部４ａ）の光照射方向の側に、本発明の光学部材の一例である、光を拡散させる光拡散部材１０を備えているものである。この光学部材の設けられている面が射出面に相当する。
【００４１】
具体的には、照明装置１ａでは、照明部３ａが、複数の発光ダイオード４が二次元配置されて実装された基板１１で構成される光源部４ａと、光拡散部材１０とで構成されている。基板１１は、発光ダイオード４の光照射方向が図の上方を向くように、筐体２の上面（図の上部）から一段下がった位置に配置されている。また、基板１１には、発光ダイオード４が実装された面に、光を反射する光反射フィルム１２が貼り付けられた反射層が設けられている。また、筐体２には、基板１１から光拡散部材１０までの内壁に、光反射フィルム１３が貼り付けられている。ここで光反射フィルムの替わりに光反射塗料、金属鍍金などの反射層を付してもよい。また、基板１１自体が白色で反射層を兼ねてもよい。
【００４２】
光拡散部材１０は、板状に形成され、筐体２の上面側の内壁に設けられたスリット１９に差し込まれることで、筐体２の縁部に着脱可能に装着されている。この光拡散部材１０は、ガラスやシリコーン樹脂、アクリル樹脂などの合成樹脂の透光性基材に、一例として酸化チタンや炭酸カルシウムなどの光散乱剤を添加したり塗布したりして形成されたものである。
【００４３】
また、照明装置１ａには、筐体２の内部に、駆動部６ａを構成する、部品実装された駆動回路基板１４が配されている。駆動回路基板１４には、商用交流電源の整流平滑回路１５の他に、電源スイッチ１６、および、回転調整式の可変抵抗１７を含んで構成される光量調整回路１８が実装されている。
【００４４】
電源スイッチ１６は、スライドスイッチや、シーソー型スイッチ、プッシュスイッチなどが例示され、発光ダイオード４への給電をオン／オフできるように設けられている。光量調整回路１８は、可変抵抗１７の調整により、発光ダイオード４に供給する電流を無し（ゼロ）から予め設定された最大値の範囲内で可変する回路であり、周知の回路を用いることができる。電源スイッチ１６および可変抵抗１７は、各々の操作つまみ部が筐体２の側面外壁に操作可能に設けられている。駆動回路基板１４には、栓刃５が電気接続されると共に、基板１１が電気接続されている。栓刃５は、照明装置１と同様にして、筐体２の背面側（図の下側）に収容可能に、筐体２に対して倒れるように可動的に設けられている。
【００４５】
次に、この照明装置１ａの動作について説明する。
【００４６】
栓刃５をコンセントに差し込み、電源スイッチ１６をオンすることで、駆動部６ａが、発光ダイオード４の駆動を開始する。これにより、発光ダイオード４から光が照射され、その照射方向にある光拡散部材１０によって光が拡散されて、照明装置１ａから外部に射出される。光拡散部材１０による光の拡散により、照明装置１ａは、光を広範囲に照射することができる。
【００４７】
また、基板１１の光反射フィルム１２や筐体２内壁の光反射フィルム１３によって、発光ダイオード４の光が反射されるため、一層明るい照明装置とすることができる。
【００４８】
なお、光拡散部材１０を、光を拡散させる程度の広いものや狭いものに交換することで、光の照射範囲を可変することができる。また、光拡散部材として発光ダイオード４の光軸の軸上にある部材のみに拡散レンズを設けた光学部材とすることにより、発光ダイオードの光束の大きい部分の発光を拡散することができる。
【００４９】
また、可変抵抗１７を操作することによって、発光ダイオード４の発光する光量が可変する。これにより、所望する任意の明るさに調整することができる。
【００５０】
次に、本発明の照明装置のさらに別の一態様を、図３を参照しながら説明する。
【００５１】
同図に示される照明装置１ｂは、すでに説明した照明装置１ａの複数の発光ダイオード４を、発光色の異なる発光ダイオード４Ｒ、４Ｇ、４Ｂの組み合わせで構成したものであり、さらに同色の発光ダイオードの組ごとに駆動部６ｂから供給する電流量を調整する色調調整回路１８Ｒ、１８Ｇ、１８Ｂを設けたものである。その外形は、すでに説明した照明装置１ａとほぼ同様である。また、照明装置１ｂは、照明装置１ａに充電回路２２、二次電池２３、および点滅回路２４を追加したものである。
【００５２】
具体的には、照明装置１ｂの照明部３ｂは、複数の赤色発光ダイオード４Ｒ、複数の緑色発光ダイオード４Ｇ、および複数の青色発光ダイオード４Ｂが基板実装された光源部４ａを有すると共に、これら発光ダイオード４Ｒ、４Ｇ、４Ｂの照射方向に光拡散部材１０が設けられて構成されている。複数の発光ダイオード４Ｒ、４Ｇ、４Ｂは、各色入り混じり合うように各々の位置が分散されて、二次元配置されている。なお、白色発光ダイオードに赤色、緑色、青色の色付きキャップを被せて用いてもよい。
【００５３】
照明装置１ｂの駆動部６ｂは、整流平滑回路１５、充電回路２２、二次電池２３、電源スイッチ１６、点滅回路２４、点滅スイッチ２５、赤色調整回路１８Ｒ、緑色調整回路１８Ｇ、および、青色調整回路１８Ｂを備えている。筐体２に設けられた栓刃５に整流平滑回路１５が接続され、その出力が充電回路２２に接続されている。充電回路２２には、二次電池２３が接続されている。充電回路２２は、栓刃５に給電があるとき、すなわち整流平滑回路１５から電力供給がされているときには、その電力で二次電池２３を充電しつつ、後段に電力を供給し、栓刃５に給電が停止したときには二次電池２３から後段に電力を供給する回路である。
【００５４】
二次電池２３は、一例として、ニッケルカドミニウム二次電池、リチウムイオン二次電池、ニッケル水素二次電池などが挙げられる。なお、二次電池２３に換えて、電気二重層キャパシタなどの大容量コンデンサを用いることもできる。
【００５５】
充電回路２２の出力には、点滅回路２４が接続されている。点滅回路２４は、点滅スイッチ２５がオンのときに、一例として１秒周期などの所定の時間間隔で間欠的にオンオフを繰り返すスイッチ回路である。点滅スイッチ２５がオフのときには、点滅回路２４はオンのままとなり発光ダイオードは連続して照明する。点滅スイッチ２５は、その操作つまみ部が、筐体２の側面外壁に操作可能に設けられる。所望により、発光ダイオード４Ｒ、４Ｇ、４Ｂの点滅時間を個別に変えるように独立回路を設けてもよい。
【００５６】
点滅回路２４の出力には、赤色調整回路１８Ｒ、緑色調整回路１８Ｇ、および青色調整回路１８Ｂが並列接続されている。これらは、本発明の色調調整回路に相当し、それぞれ、すでに説明した照明装置１ａの光量調整回路１８と同様の回路である。赤色調整回路１８Ｒ、緑色調整回路１８Ｇ、青色調整回路１８Ｂには、それぞれの回路から出力される電流を調整するための可変抵抗１７Ｒ、１７Ｇ、１７Ｂが接続されている。赤色調整回路１８Ｒの出力には、直列接続された赤色発光ダイオード４Ｒが接続され、緑色調整回路１８Ｇの出力には、直列接続された緑色発光ダイオード４Ｇが接続され、青色調整回路１８Ｂの出力には、直列接続された青色発光ダイオード４Ｂが接続されている。
【００５７】
次に、この照明装置１ｂの動作について説明する。
【００５８】
電源スイッチ１６のオンにより、栓刃５から給電されて、整流平滑回路１５から直流電圧が出力され、充電回路２２が二次電池２３の充電を開始する。点滅スイッチ２５がオフのときには、点滅回路２４がオンとなったままになり、充電回路２２の出力が、赤色調整回路１８Ｒ、緑色調整回路１８Ｇ、青色調整回路１８Ｂにそのまま供給される。
【００５９】
このとき、可変抵抗１７Ｒ、１７Ｇ、１７Ｂの調整位置に応じた電流が発光ダイオード４Ｒ、４Ｇ、４Ｂに供給される。発光ダイオード４Ｒ、４Ｇ、４Ｂの照射する光は、光の三原色である赤、緑、青であるので、光拡散部材１０で混合される際に、各色の強度に応じた色になる。このため、可変抵抗１７Ｒ、１７Ｇ、１７Ｂの調整で、照明装置１ｂから任意の色を照射させることができる。また、可変抵抗１７Ｒ、１７Ｇ、１７Ｂを最大位置付近で調整することで、照明装置１ｂから、明るい白色光を照射させることができる。また、可変抵抗１７Ｒ、１７Ｇ、１７Ｂの調整で任意の明るさに調整することができる。
【００６０】
点滅スイッチ２５をオンにしたときには、点滅回路２４が間欠的に作動して、発光ダイオード４Ｒ、４Ｇ、４Ｂが同期して間欠的に駆動されて、光が点滅して照射される。
【００６１】
停電の際には、二次電池２３から電力が供給されるため、照明装置１ｂから光の照射が継続される。また、二次電池２３を有するので、コンセントの無い場所に携帯したとしても、照明装置１ｂから光を照射させることができる。
【００６２】
また、受光センサーを、照明部３ｂの光が当たらない位置の筐体２の表面に設け、停電や環境が受光センサーの設定より暗くなったことを感知して自動的に点灯する機構を設けて、非常灯や夜光灯とすることもできる。
【００６３】
なお、同図に破線で示したタイマスイッチ２７は、電源スイッチ１６をオフした時から、一例として３０秒間などの所定時間の間だけ充電回路２２と点滅回路２４との導通をオンし、その後直ちにオフする回路である。このタイマスイッチ２７を追加して備えることで、電源スイッチ１６のオフから所定時間の間だけ照明装置１ｂから光の照射を継続させることもできる。また、タイマスイッチ２７を備えることによって、停電から所定時間の間だけ二次電池２３から電力供給させて、この間だけ照明装置１ｂから光の照射を継続させてもよい。タイマスイッチ２７を、電源スイッチ１６のオフ時だけに作動させてもよいし、停電時にだけ作動させてもよいし、受光センサーを備えた場合に環境が暗くなったときから一定時間だけ作動させてもよく、これらを組み合わせて作動させたり、これら全てで作動させてもよい。
【００６４】
次に、本発明の照明装置のさらに別の一態様を、図４を参照しながら説明する。
【００６５】
同図に示される照明装置１ｃは、その照明部３ｃが、光学部材の一例である、光学式レンズ３１を備えているものである。この光学式レンズ３１は、発光ダイオード４の光照射方向に設けられている。また、光学式レンズ３１は、発光ダイオード４との距離を可変可能な移動機構３０で支持されている。
【００６６】
具体的には、筐体２は、円筒状に形成され、同図に示されるように、その底面に栓刃５が設けられ、底面部内に駆動部６が設けられている。筐体２内の駆動部６の上には、光照射方向を図の上部側に向けて、発光ダイオード４が同心円状に二次元配置され平面状の光源をつくっている。筐体２の円筒の上部または柱状面には、移動機構３０によって光学式レンズ３１が支持されている。
【００６７】
移動機構３０は上下にスライドすることによって（図４（ａ））、または回転可能なリングを回転させることによって（図４（ｂ））、図中に二点鎖線で示されるように、光学式レンズ３１を上下移動させるものである。例えば、図４（ｂ）のごとく筐体２の外壁を螺旋状に周回する雄螺子を形成し、移動機構３０にこの雄螺子に嵌合する雌螺子を形成して、移動機構３０を回転させることでその位置が移動する構成とすることができる。また、別の周知の移動機構を用いることもできる。
【００６８】
光学式レンズ３１は、凸型レンズ、凹型レンズ、フレネルレンズなど各種レンズ、または、これらレンズの組み合わせで構成することができる。なお、発光ダイオード４と光学式レンズ３１との間に、光拡散部材１０を配することもできる。さらに、カラーフィルターや発光ダイオード４と光学式レンズ３１との間に、光の透過する径の大きさを可変可能な、絞り機構を設けることもできる。図４（ａ）の照明装置１ｃは円筒状で手で握るには便利である。しかし、円形を大きく筒形の柱状の高さを低くして円盤状となした図４（ｂ）の照明装置１ｃは、壁の平面より極端に飛び出ることなく、設置する壁に調和させることができる。
【００６９】
次に、照明装置１ｃの動作について説明する。
【００７０】
栓刃５をコンセントに差し込むことで、発光ダイオード４が平面状の光源となって光を照射する。この光が光学式レンズ３１を透過する際に、光の経路が変化する。移動機構３０をスライドまたは回転させることで、光学式レンズ３１の結像する位置が可変するため、光の照射範囲を広くしたり、狭くしたりすることができる。
【００７１】
次に、本発明の照明装置のさらに別の一態様を、図５を参照しながら説明する。
【００７２】
同図に示される照明装置１ｄは、その照明部３ｄが、発光ダイオード４の光照射方向に、光学部材の一例である、透光性基材に画像表示された透光性画像表示部材３３を備えているものである。
【００７３】
具体的には、照明部３ｄは、すでに説明した照明装置１、１ａの照明部３，３ａの前面に、透光性画像表示部材３３を着脱可能に配したものである。例えば、照明装置１ａのように、筐体２の縁にスリットを設け、そのスリットに画像表示部材３３を差し込むことで着脱可能としてもよいし、画像表示部材３３の四隅を筐体２に螺子止めすることで着脱可能としてもよい。
【００７４】
透光性画像表示部材３３は、一例として、シリコーン樹脂やプラスチック樹脂、アクリル樹脂などの透光性基材に、「出口」という文字と矢印記号とが白色で、その背景は緑色に着色されたものである。この着色は、光を散乱透過させるように着色する。これにより、透光性画像表示部材３３は、背面からの光の照射によって、前面側の画像が光って表示される。
【００７５】
透光性画像表示部材３３に光散乱剤を添加してもよい。また透光性画像表示部材３３は、光拡散部材に半透光性のフィルムなどを積層して設けてもよい。
【００７６】
同図では、発光ダイオード４が、照明部３ｄの両脇だけに図示して、中央部分の図示を省略しているが、実際には、照明装置１，１ａと同様に、二次元配列されている。
【００７７】
なお、表示する画像は、同図に示されるように、文字や記号であってもよいし、非常口、携帯電話禁止、喫煙禁止などのピクトグラムであってもよいし、絵画やステンドグラスを模した画像であってもよいし、ＰＯＳ（Ｐｏｉｎｔ  ｏｆ  Ｓａｌｅｓ）の表示であってもよい。
【００７８】
次に、照明装置１ｄの動作について説明する。
【００７９】
この照明装置１ｄは、一例として、壁面５０に設けられたコンセント５１に、筐体２の背面側に設けられた栓刃５を差し込んで使用する。発光ダイオード４が二次元配置されているため、明るい表示とすることができる。
【００８０】
同図では、二口のコンセント５１の上側に栓刃５を差し込んだ例が図示されているが、配置などの関係で、上側のコンセントが使用不可の場合には、上下を反転させて下側のコンセントに栓刃５を差し込む。この場合、表示が逆になってしまうため、栓刃５と筐体２との間に回転機構を設けて調整するか、画像表示部材３３を取り外し、正しい向きになるようにして照明装置１ｄに取り付ける。
【００８１】
また、画像表示部材３３が着脱可能であるので、表示画像を別のものに簡便に交換することができる。
【００８２】
次に、本発明の照明装置のさらに別の一態様を、図６を参照しながら説明する。
【００８３】
図６（ａ）に示される照明装置１ｅは、一例として、栓刃５を、首振り機構３５を介して、照明装置１ａと同様の筐体２の側面に、可動自在に設けたものである。図６（ｂ）は栓刃が収納されたときの首振り機構３５の部分図である。
【００８４】
首振り機構３５は、２軸の関節機構で構成され、図中に２つの二点鎖線で示されるように、栓刃５と筐体２との位置関係を、２自由度で任意の角度に調整可能なものである。
【００８５】
図７（ａ）に示される照明装置１ｆは、一例として、栓刃５に台座５ｂを設け、台座５ｂと筐体２との間で首振り機構３６を介し、筐体２の側面（図の上面）付近の背面に、栓刃５を可動自在に設けたものである。
【００８６】
首振り機構３６は、一軸の回転関節であり、同図に二点鎖線で示されるように、栓刃５を中心軸として筐体２を任意の角度に調整可能なものである。
【００８７】
なお、首振り機構３５，３６の関節数（自由度数）に制限はなく、３軸以上の多関節機構であってもよい。また、３自由度の回転自由度を有する球面間接を用いてもよい。さらに、進退自在の直動関節を用いてもよい。
【００８８】
照明装置１ｆは同図（ｂ）のように所望の角度で使用される。
【００８９】
図８の照明装置１ｇは、同図（ａ）に示されるように、照明部となる筐体部２ａと駆動部などの電気回路などを収納する筐体部２ｂとを別体に区画し、区画された筐体２ａ，２ｂ同士を折り曲げ自在の可動機構３７を介して一体的に繋げた構造のものである。
【００９０】
また、栓刃５は、同図に示される一軸の首振り機構を有する台座５ｃに固定され、筐体２ｂの側面に設けた凹部３９に台座５ｃと共にスライドつまみ３８をスライドすることにより収納される。使用時にはスライドつまみ３８により栓刃５を筐体２ｂより引き出し、同図（ｂ）のごとく、栓刃５と電気回路を内蔵した筐体２ｂとは捩れる形で、回転可動となる。同図に示す照明装置１ｇは、２自由度による首振り機構となり、照明方向を自在に選択することができる。
【００９１】
また、図６，８のように首振り機構を介して筐体２の側面側に栓刃５を設けた場合や、首振り機構を介さずに筐体２の側面に直接栓刃５を配した場合には、照明装置１ｅのように筐体２の一面側に照明部３ａを設けるだけでなく、その背面側にも、発光ダイオード４を二次元配置して照明部３ａを設けることもできる。つまり、筐体２の対向する両面に照明部３ａ（射出面）を設けることで、正面側にも背面側にも明るい光を照射することができる。
【００９２】
本発明における照明装置は、光量及び空間効率の点から厚さができるだけ薄い方が好ましい。図９の照明装置１ｈは、照明部３ｈを薄型化するために光源部４ｈに導光板４０を用いたエッジライト方式を採用したものである。同図（ａ）は照明装置１ｈの平面図である。光源部４ｈは、四角形箱型の筐体２の内側面の各々に表面実装型の発光ダイオード４を基板１１に実装して一列配列（一次元配置）し、この発光ダイオード４の列により導光板４０の周囲が囲まれるようにして敷設されて構成されている。同図（ｂ）は、照明装置１ｈの一部側面断面図である。この光源部４ｈでは、筐体２の内側面側より筐体２の内側に向けて発光した発光ダイオード４の光が導光板４０の側面から入射し筐体２の底部の光反射層２０で反射して反対側（同図（ｂ）の上部側）に射出する平面状の光源となっている。照明部３ｈは、その光源部４ｈの上に光拡散板１０を備えている。
【００９３】
同図（ｂ）では導光板４０の下には、金属鍍金した光反射層２０が設けられ、導光板４０の表面には、導光板４０からの光出射効率を上げているための凹凸が設けられている。
【００９４】
図１０に示される照明装置１ｉは、照明装置１ｈを円盤状に形成したものである。照明装置１ｉは、円型のお盆状の筐体２の側面内側に発光ダイオード４をサークル状に一列配し、そのサークルの中に円板状の導光板４０を設置して光源部３ｈが構成されている。発光ダイオード４は中心に向って発光することによって導光板４０が二次元（平面状）光源となる。同図には図示していないが、筐体２の底の部分のない場合は導光板４０に反射層２０を設けずに、両面（二面）で発光させることもできる。
【００９５】
また、照明装置１ｉでは、照明部３ｈに、光学部材として光学式レンズの一例である、フレネルレンズ３１ａが配されている例が示されている。
【００９６】
本発明で用いる導光板としては、アクリル樹脂、ポリカーボネート樹脂、シリコーン樹脂などの透明プラスチック樹脂、ガラスなどの各種の透明な板材を素材として用いることができる。また、例えば、アクリル板の一側面側に光を反射させるドットを白色インクで印刷したドット式の導光板を用いることもできるし、種々の公知の導光板を用いることができる。
【００９７】
なお、発光ダイオード４は円筒状の形状で図示して説明したが、発光ダイオード４、４Ｒ，４Ｇ，４Ｂは、砲弾型の形状であってもよいし、直方体の形状であってもよく、形状は限定されない。また、発光ダイオード４、４Ｒ，４Ｇ，４Ｂは、図２に示されるように基板１１を貫通するリード端子付きの形状であってもよいし、表面実装型の形状であってもよい。
【００９８】
また、発光ダイオード４、４Ｒ，４Ｇ，４Ｂに、光散乱剤の添加されたシリコーンやプラスチック樹脂などの透光性基材で形成されたキャップを、直接被せることもできる。また、発光ダイオード４、４Ｒ，４Ｇ，４Ｂの個々に、光を拡散させる光学式レンズや、または集約させる光学式レンズを直接取り付けることもできる。
【００９９】
また、照明装置１〜１ｈの正面形状を、長方形や円形で図示したが、これに限られず、正方形、星形、台形、楕円形、三角形、多角形など任意の形状に形成することができる。また、その大きさは、名刺サイズ、葉書サイズ、Ａ１サイズ〜Ａ６サイズ、Ｂ１サイズ〜Ｂ６サイズなど任意の大きさで形成することができる。
【０１００】
また、照明装置の厚さは、２ｃｍ以内好ましくは１.２ｃｍ以内に設計することができ、特に、照明部において導光板を用いるエッジライト型の照明部は１ｃｍ以下、より好ましくは、５ｍｍ以下に設計することができる。全体サイズとしては、用途により、所望のサイズを選択して用いることができるが、ボータプル性、使い勝手の点から好ましくはＡ４以下、更に好ましくは名刺サイズのものがポケットやカバンに入れることができ便利である。
【０１０１】
また、光学性部材として、シリコーン樹脂やガラスなどの透光性基材に、発光ダイオードの光照射によって励起されて光を発光する蛍光剤を添加したり、塗布したりした蛍光部材を、発光ダイオード４の光照射方向に配して、照明部を構成することもできる。
【０１０２】
さらに、図１１に示されるように、発光ダイオード（Ｒ，Ｇ，Ｂを含んでもよい）が二次元配置される光源部４ｊとして、半導体ウエハから切り出した半導体チップ９を用いることにより、より薄型で小型であっても比較的光量の大きな照明装置とすることができる。一例として、同図に示されるように、発光ダイオードを配置するべき基板１１ａの表面には、各々直線状の配線パターン４１および配線パターン４２が、交互に形成されて、半導体チップ９は、配線パターン４１上に配列されて、カソード電極が配線パターン４１に導電剤で接続されている。半導体チップ９のアノード電極は、配線パターン４１の両側部に沿っている２本の配線パターン４２の各々に、１本ずつ計２本のボンディングワイヤ４４で並列的に接続されている。このように２本のボンディングワイヤ４４で接続されていることで、１本が破損したとしても、電気的接続を保持することができる。
【０１０３】
配線パターン４１は、所々で分断されており、長さに余裕を持たせたボンディングワイヤ４３で分断箇所が接続されている。このようにすることで、配線パターン４１が熱などで伸縮したとしても、その伸縮がボンディングワイヤ４３で吸収されるため、発光ダイオード４に繋がるボンディングワイヤ４４に伸縮の負荷が掛かることが防止され、ワイヤ４４の破損を防止することができる。
【０１０４】
また、図１２に示されるように、半導体チップ９を、同心円状に二次元配置することもできる。同図の例では、半導体チップ９のアノード電極が、１本のボンディングワイヤ４４で配線パターン４２に接続されている。
【０１０５】
この配線パターンが酸化劣化しないよう二次元配置される半導体チップ９の上をシリコーンなどの透光性樹脂で全面封止することによって、個々の発光ダイオードが二次元配列したものと同等かまたはより高い密度で発光ダイオードを配列することができる光源部となり、全体としてより薄型照明部を持つ小型であるが光量の大きい照明装置とすることができる。
【産業上の利用可能性】
【０１０６】
本発明の照明装置は、コンセントのある場所に、明るい照明を簡便に設けることができる。
【符号の説明】
【０１０７】
１，１ａ，１ｂ，１ｃ，１ｄ，１ｅ，１ｆ，１ｇ，１ｈ，１ｉは照明装置、２，２ａ，２ｂは筐体、３，３ａ，３ｂ，３ｃ，３ｄ，３ｈは照明部、４は発光ダイオード、４ａ，４ｈ，４ｊは光源部、４Ｒは赤色発光ダイオード、４Ｇは緑色発光ダイオード、４Ｂは青色発光ダイオード、５は栓刃、５ｂ，５ｃは台座、６，６ａ，６ｂは駆動部、７は射出面、８は光反射板、９は発光ダイオードの半導体チップ、１０は光拡散部材、１１，１１ａは基板、１２，１３は光反射フィルム、１４は駆動回路基板、１５は整流平滑回路、１６は電源スイッチ、１７は可変抵抗、１８は光量調整回路、１８Ｒは赤色調整回路、１８Ｇは緑色調整回路、１８Ｂは青色調整回路、１９はスリット、２０は光反射層、２２は充電回路、２３は二次電池、２４は点滅回路、２５は点滅スイッチ、２７はタイマスイッチ、３０は移動機構、３１は光学式レンズ、３１ａはフレネルレンズ、３３は透光性画像表示部材、３５，３６は首振り機構、３７は可動機構、３８はスライドつまみ、３９は凹部、４０は導光板、４１，４２は配線パターン、４３，４４はボンディングワイヤ、５０は壁面、５１はコンセントである。
【図１】
2011049100.tif 000003
【図２】
2011049100.tif 000004
【図３】
2011049100.tif 000005
【図４】
2011049100.tif 000006
【図５】
2011049100.tif 000007
【図６】
2011049100.tif 000008
【図７】
2011049100.tif 000009
【図８】
2011049100.tif 000010
【図９】
2011049100.tif 000011
【図１０】
2011049100.tif 000012
【図１１】
2011049100.tif 000013
【図１２】
2011049100.tif 000014